(57)【要約】【課題】複数の媒体を重ねて加熱及び加圧して、画像を転写する場合に、定着不良の発生を抑えること。【解決手段】画像が記録された第１の媒体（３１）に重ねられた第２の媒体（７）に対して、加熱し且つ圧力を加えて、第１の媒体の画像（３１）を第２の媒体（７）に転写させる加熱部材（２４）と、加熱部材（２４）の上流側に配置され、低温且つ低圧が積層体（３２）に加えられ、第１の媒体（３１）の画像が第２の媒体（７）に非転写の状態で積層体（３２）を加熱部材（２４）に向けて搬送する予備加熱部材（２３）と、を備えた画像転写装置（Ｕ３）。【選択図】図３
2014021352.tif 000002
【特許請求の範囲】
【請求項１】
表面に画像が記録された第１の媒体と、前記第１の媒体の画像が記録された面に被転写面が対面した状態で前記第１の媒体に重ねられた第２の媒体とを有する積層体に対して、圧力が加わりながら加熱して、前記第１の媒体の画像を前記第２の媒体に転写させる加熱部材と、
前記積層体の搬送方向に対して、前記加熱部材の上流側に配置され、前記加熱部材で前記積層体に加えられる温度よりも低温で、前記積層体を、前記加熱部材で加熱されるより前に予め加熱すると共に、前記第１の媒体の画像が前記第２の媒体に非転写の状態で前記積層体を前記加熱部材に向けて搬送する第２の加熱部材と、
を備えたことを特徴とする画像転写装置。
【請求項２】
前記第２の媒体の種類を取得する取得手段と、
第２の媒体の種類に応じて、前記加熱部材において、前記積層体に加えられる温度および圧力の少なくとも一方を設定する設定手段と、
を備えたことを特徴とする請求項１に記載の画像転写装置。
【請求項３】
前記第２の媒体に支持され、且つ、前記第２の媒体の種類の情報を記憶する記憶媒体と、
前記第２の媒体の記憶媒体に記憶された情報を読み取る読取部材と、
前記読取部材の読み取り結果に基づいて、前記第２の媒体の種類を取得する前記取得手段と、
を備えたことを特徴とする請求項２に記載の画像転写装置。
【請求項４】
前記記憶媒体に記憶された情報を無線通信で読み取る前記読取部材、
を備えたことを特徴とする請求項３に記載の画像転写装置。
【請求項５】
前記第２の媒体が前記加熱部材に搬送される経路上に配置された前記読取部材、
を備えたことを特徴とする請求項３または４に記載の画像転写装置。
【請求項６】
前記第２の媒体の種類に応じて、前記第２の加熱部材において積層体に加えられる温度および圧力の少なくとも一方を設定する第２の設定手段と、
を備えたことを特徴とする請求項５に記載の画像転写装置。
【請求項７】
第１の媒体に対して画像を記録する記録部と、
第１の媒体に記録された画像を、第２の媒体に転写させる請求項１ないし６のいずれかに記載の画像転写装置と、
を備えたことを特徴とする画像形成装置。
【発明の詳細な説明】
【技術分野】
【０００１】
本発明は、画像転写装置および画像形成装置に関する。
【背景技術】
【０００２】
画像形成装置において、複数の媒体を重ねて加熱および加圧するための技術として、以下の特許文献１、２に記載の技術が知られている。
【０００３】
特許文献１としての特開２００５−２２５０３３号公報や特許文献２としての特開２００５−２８８６５号公報には、コアシート（１）の両面に画像（２、４）が形成されたフィルム（３，５）が重ねられた積層体が、加熱・加圧されてラミネートされるプラスチックシートの作製装置が記載されている。
特許文献１に記載の構成では、ベルト対（３１）を有するラミネート装置（３０）において、ベルト対（３１）を挟んで対向する加熱加圧ロール対（３４）が配置されている。そして、加熱加圧ロール対（３４）の圧接部を積層体の後端が通過する直前に、加熱加圧ロール対の圧力を減少、または、開放している。したがって、積層体が圧接部から脱出する際のベルト対（３１）の変形を防止して、ラミネートの不均一を低減している。
【０００４】
また、特許文献２に記載の構成では、ベルト対（３１）の上流側のインレットロール（３５）をニップさせない構成が記載されている。特許文献２に記載の構成では、加熱加圧ロール対（３４）からの余熱で、ベルト対（３１）に進入した積層体が、徐々に加熱・加圧され、急激な加熱・加圧に伴う積層体の伸びが防止されている。
【０００５】
複数の媒体ではないが、単一の媒体の表面の未定着の画像を加熱および加圧して定着するための技術として、以下の特許文献３〜５に記載の技術が知られている。
特許文献３としての特開２００９−５３４２１号公報には、定着用のニップ部を通過する転写紙に供給される熱量を確保するために、定着部材の温度が高くなるとニップ量が小さくなるように、ニップ部の加圧機構を制御する技術が記載されている。
【０００６】
特許文献４としての特開２００５−３０１０７０号公報には、経年変化に伴う弾性加圧ローラの硬度の低下に応じて、定着ニップ幅を大きくすることで、定着装置の長寿命化を図る技術が記載されている。また、特許文献４には、ニップ幅の広がりに合わせて定着温調温度を下げる技術も記載されている。
特許文献５としての特開２００８−１１０８２７号公報には、湾曲した搬送路を搬送されるシートの搬送時間から紙厚（紙の腰の強さ）を判別して、紙厚に応じて、転写電圧や定着温度、搬送速度を制御する技術が記載されている。
【先行技術文献】
【特許文献】
【０００７】
【特許文献１】特開２００５−２２５０３３号公報（「００１７」〜「００２０」、「００３２」〜「００５１」、図１〜図４）
【特許文献２】特開２００５−２８８６５号公報（「００１８」、「００５１」〜「００５４」、図３）
【特許文献３】特開２００９−５３４２１号公報（「００５５」〜「００６４」）
【特許文献４】特開２００５−３０１０７０号公報（「００３２」〜「００４６」）
【特許文献５】特開２００８−１１０８２７号公報（「００５３」〜「００５４」、「００７２」、図８）
【発明の概要】
【発明が解決しようとする課題】
【０００８】
本発明は、複数の媒体を重ねて加熱及び加圧して、画像を転写する場合に、定着不良の発生を抑えることを技術的課題とする。
【課題を解決するための手段】
【０００９】
前記技術的課題を解決するために、請求項１に記載の発明の画像転写装置は、
表面に画像が記録された第１の媒体と、前記第１の媒体の画像が記録された面に被転写面が対面した状態で前記第１の媒体に重ねられた第２の媒体とを有する積層体に対して、圧力が加わりながら加熱して、前記第１の媒体の画像を前記第２の媒体に転写させる加熱部材と、
前記積層体の搬送方向に対して、前記加熱部材の上流側に配置され、前記加熱部材で前記積層体に加えられる温度よりも低温で、前記積層体を、前記加熱部材で加熱されるより前に予め加熱すると共に、前記第１の媒体の画像が前記第２の媒体に非転写の状態で前記積層体を前記加熱部材に向けて搬送する第２の加熱部材と、
を備えたことを特徴とする。
【００１０】
請求項２に記載の発明は、請求項１に記載の画像転写装置において、
前記第２の媒体の種類を取得する取得手段と、
第２の媒体の種類に応じて、前記加熱部材において、前記積層体に加えられる温度および圧力の少なくとも一方を設定する設定手段と、
を備えたことを特徴とする。
【００１１】
請求項３に記載の発明は、請求項２に記載の画像転写装置において、
前記第２の媒体に支持され、且つ、前記第２の媒体の種類の情報を記憶する記憶媒体と、
前記第２の媒体の記憶媒体に記憶された情報を読み取る読取部材と、
前記読取部材の読み取り結果に基づいて、前記第２の媒体の種類を取得する前記取得手段と、
を備えたことを特徴とする。
【００１２】
請求項４に記載の発明は、請求項３に記載の画像転写装置において、
前記記憶媒体に記憶された情報を無線通信で読み取る前記読取部材、
を備えたことを特徴とする。
【００１３】
請求項５に記載の発明は、請求項３または４に記載の画像転写装置において、
前記第２の媒体が前記加熱部材に搬送される経路上に配置された前記読取部材、
を備えたことを特徴とする。
【００１４】
請求項６に記載の発明は、請求項５に記載の画像転写装置において、
前記第２の媒体の種類に応じて、前記第２の加熱部材において積層体に加えられる温度および圧力の少なくとも一方を設定する第２の設定手段と、
を備えたことを特徴とする。
【００１５】
前記技術的課題を解決するために、請求項７に記載の発明の画像形成装置は、
第１の媒体に対して画像を記録する記録部と、
第１の媒体に記録された画像を、第２の媒体に転写させる請求項１ないし６のいずれかに記載の画像転写装置と、
を備えたことを特徴とする。
【発明の効果】
【００１６】
請求項１，７に記載の発明によれば、第２の媒体の種類に応じて積層体に加えられる温度または圧力を設定しない場合に比べて、複数の媒体を重ねて加熱及び加圧して、画像を転写する場合に、転写不良の発生を抑えることができる。
請求項２に記載の発明によれば、第２の媒体の種類に応じた温度や圧力が設定されない場合に比べて、転写不良の発生を低減できる。
請求項３に記載の発明によれば、第２の媒体に支持された記憶媒体から第２の媒体の種類の情報を取得することができる。
【００１７】
請求項４に記載の発明によれば、無線通信で情報を読み取らない場合に比べて、積層体の損傷を低減できる。
請求項５に記載の発明によれば、加熱部材に向けて搬送される第２の媒体の情報を、個別に取得することができる。
請求項６に記載の発明によれば、第２の媒体の種類に応じて、第２の加熱部材の温度や圧力が設定されない場合に比べて、転写不良の発生を低減できる。
【図面の簡単な説明】
【００１８】
【図１】図１は本発明の実施例１の画像形成装置の全体説明図である。
【図２】図２は実施例１の画像形成装置の要部拡大説明図である。
【図３】図３は実施例１の転写装置の本体部の要部説明図である。
【図４】図４は第１の媒体の説明図であり、図４Ａは実施例１の第１の媒体の説明図、図４Ｂは第１の媒体の変更例の説明図である。
【図５】図５は実施例１の第２の媒体の両面に画像が印刷される場合の説明図であり、図５Ａは一面目の第１の媒体が積載部に積載された状態の説明図、図５Ｂは図５Ａに示す状態から第２の媒体が積載された状態の説明図、図５Ｃは図５Ｂに示す状態からさらに第１の媒体が積載された状態の説明図である。
【図６】図６は実施例１の画像形成装置の制御部分が備えている各機能をブロック図で示した図である。
【図７】図７は実施例１の加熱条件の説明図である。
【図８】図８は実施例１の転写条件の制御処理のフローチャートの説明図である。
【図９】図９は実施例２の画像形成装置の制御部分が備えている各機能をブロック図で示した図であり、実施例１の図６に対応する図である。
【図１０】図１０は実施例２の予備加熱条件の説明図である。
【図１１】図１１は実施例２の転写条件の制御処理のフローチャートの説明図であり、実施例１の図８に対応する図である。
【図１２】図１２は実施例３の画像形成装置の制御部分が備えている各機能をブロック図で示した図であり、実施例１の図６に対応する図である。
【図１３】図１３は実施例３の加熱条件の説明図であり、実施例１の図７に対応する図である。
【図１４】図１４は実施例３の転写条件の制御処理のフローチャートの説明図であり、実施例１の図８に対応する図である。
【図１５】図１５は実施例４の画像形成装置の制御部分が備えている各機能をブロック図で示した図であり、実施例１の図６に対応する図である。
【図１６】図１６は実施例４の加熱条件の説明図であり、実施例１の図７に対応する図である。
【図１７】図１７は実施例４の転写条件の制御処理のフローチャートの説明図であり、実施例３の図１４に対応する図である。
【図１８】図１８は実施例５の画像形成装置の制御部分が備えている各機能をブロック図で示した図であり、実施例１の図６に対応する図である。
【図１９】図１９は実施例５の転写条件の制御処理のフローチャートの説明図であり、実施例４の図１７に対応する図である。
【発明を実施するための形態】
【００１９】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００２０】
図１は本発明の実施例１の画像形成装置の全体説明図である。
図１において、本発明の実施例１の画像形成装置の一例であるプリンタＵは、装置本体の一例としてのプリンタ本体Ｕ１を備えている。前記プリンタＵには電気的に、画像情報の送信装置の一例としてのパーソナルコンピュータＰＣが接続されている。プリンタＵの制御部Ｃには、パーソナルコンピュータＰＣから送信された画像情報が入力可能に構成されている。
前記制御部Ｃは、パーソナルコンピュータＰＣから入力された画像情報を、潜像形成用のイエローＹ、マゼンタＭ、シアンＣ、黒Ｋの画像情報に変換する。制御部Ｃは、変換した画像情報を、予め設定された時期に書込回路ＤＬに出力する。
なお、制御部Ｃは、画像が単色画像、いわゆる、モノクロの場合は、黒Ｋのみの画像情報を書込回路ＤＬに出力する。
【００２１】
前記書込回路ＤＬは、入力された画像情報に応じた信号を、予め設定された時期に、各色毎に配置された露光装置の一例としてのＬＥＤヘッドＬＨｙ，ＬＨｍ，ＬＨｃ，ＬＨｋに出力する。なお、実施例１では、ＬＥＤヘッドＬＨｙ〜ＬＨｋは、発光素子の一例としてのＬＥＤが画像の幅方向に沿って線状に配列されたＬＥＤアレイにより構成されている。ＬＥＤヘッドＬＨｙ〜ＬＨｋは、入力された信号に応じて、ＬＥＤが発光する。したがって、ＬＥＤヘッドＬＨｙ〜ＬＨｋは、入力された信号に応じた書込光を出力する。
【００２２】
図２は実施例１の画像形成装置の要部拡大説明図である。
図１、図２において、各ＬＥＤヘッドＬＨｙ〜ＬＨｋの上方には、像保持体の一例としての感光体ＰＲｙ，ＰＲｍ，ＰＲｃ，ＰＲｋが配置されている。
各感光体ＰＲｙ，ＰＲｍ，ＰＲｃ，ＰＲｋの回転方向に対して、ＬＥＤヘッドＬＨｙ〜ＬＨｋの上流側には、帯電器の一例としての帯電ロールＣＲｙ，ＣＲｍ，ＣＲｃ，ＣＲｋが、感光体ＰＲｙ〜ＰＲｋに接触して配置されている。感光体ＰＲｙ〜ＰＲｋの回転方向に対して、ＬＥＤヘッドＬＨｙ〜ＬＨｋの下流側には、現像装置Ｇｙ，Ｇｍ，Ｇｃ，Ｇｋが配置されている。感光体ＰＲｙ〜ＰＲｋの回転方向に対して、現像装置Ｇｙ〜Ｇｋの下流側には、１次転写器の一例としての１次転写ロールＴ１ｙ，Ｔ１ｍ，Ｔ１ｃ，Ｔ１ｋが配置されている。感光体ＰＲｙ〜ＰＲｋの回転方向に対して、１次転写ロールＴ１ｙ〜Ｔ１ｋの下流側には、像保持体の清掃器の一例としての感光体クリーナＣＬｙ，ＣＬｍ，ＣＬｃ，ＣＬｋが配置されている。
【００２３】
前記Ｙ色の感光体ＰＲｙ、帯電ロールＣＲｙ、ＬＥＤヘッドＬＨｙ、現像装置Ｇｙ、１次転写ロールＴ１ｙ、感光体クリーナＣＬｙにより、可視像の一例としてのトナー像を形成する実施例１のＹ色の可視像の形成装置の一例としてのＹ色の作像部Ｕｙが構成されている。同様に、各感光体ＰＲｍ，ＰＲｃ，ＰＲｋ、帯電ロールＣＲｍ，ＣＲｃ，ＣＲｋ、ＬＥＤヘッドＬＨｍ，ＬＨｃ，ＬＨｋ、現像装置Ｇｍ，Ｇｃ，Ｇｋ、１次転写ロールＴ１ｍ，Ｔ１ｃ，Ｔ１ｋ、感光体クリーナＣＬｍ，ＣＬｃ，ＣＬｋにより、前記Ｍ，Ｃ，Ｋ色の作像部Ｕｍ，Ｕｃ，Ｕｋが構成されている。
【００２４】
前記感光体ＰＲｙ〜ＰＲｋの上方には、中間転写装置の一例としてのベルトモジュールＢＭが配置されている。ベルトモジュールＢＭは、中間転写体の一例として、無端帯状の中間転写ベルトＢを有する。中間転写ベルトＢは、駆動部材の一例としてのベルト駆動ロールＲｄと、張架部材の一例としてのテンションロールＲｔと、片寄りを補正する部材の一例としてのウォーキングロールＲｗと、従動部材の一例としてのアイドラロールＲｆと、２次転写領域の対向部材の一例としてのバックアップロールＴ２ａと、１次転写ロールＴ1ｙ，Ｔ1ｍ，Ｔ1ｃ，Ｔ1ｋと、により回転可能に支持されている。
【００２５】
前記中間転写ベルトＢを挟んでバックアップロールＴ２ａに対向する位置には、２次転写部材の一例としての２次転写ロールＴ２ｂが配置されている。実施例１では、バックアップロールＴ２ａは接地され、２次転写ロールＴ２ｂには電源回路Ｅからトナーの帯電極性と逆極性の２次転写電圧が印加される。バックアップロールＴ２ａおよび２次転写ロールＴ２ｂにより、実施例１の２次転写器Ｔ２が構成されている。また、２次転写ロールＴ２ｂと中間転写ベルトＢとが接触する領域により２次転写領域Ｑ４が形成される。
中間転写ベルトＢの回転方向に対して、２次転写領域Ｑ４の下流側には、中間転写体の清掃器の一例として、ベルトクリーナＣＬｂが配置されている。
前記１次転写ロールＴ１ｙ〜Ｔ１ｋ、中間転写ベルトＢおよび２次転写器Ｔ２等により、実施例１の転写装置Ｔ１＋Ｔ２＋Ｂが構成されている。また、作像部Ｕｙ〜Ｕｋおよび転写装置Ｔ１＋Ｔ２＋Ｂとにより、実施例１の画像の記録部Ｕｙ〜Ｕｋ＋Ｔ１＋Ｔ２＋Ｂが構成されている。
【００２６】
図１において、作像部Ｕｙ〜Ｕｋの下方には、案内部材の一例としての左右一対のガイドレールＧＲが４段設けられている。各ガイドレールＧＲには、媒体の収容部の一例としての給紙トレイＴＲ１〜ＴＲ４が前後方向に出入可能に支持されている。給紙トレイＴＲ１〜ＴＲ４には、媒体の一例としての記録シートＳが収容される。
給紙トレイＴＲ１〜ＴＲ４の右上方には、取出部材の一例としてのピックアップロールＲpが配置されている。記録シートＳの搬送方向に対して、ピックアップロールＲｐの下流側には、捌き部材の一例としてのさばきロールＲｓが配置されている。記録シートＳの搬送方向に対して、捌きロールＲｓの下流側には、媒体の搬送路の一例として、上方に延びる給紙路ＳＨ１が形成されている。給紙路ＳＨ１には、搬送部材の一例としての複数の搬送ロールＲａが配置されている。
【００２７】
給紙路ＳＨ１には、２次転写領域Ｑ４の上流側に、搬送時期の調節部材の一例としてのレジロールＲｒが配置されている。
また、前記最上段の給紙トレイＴＲ１の右方には、手差し部の一例としての手差しトレイＴＲ０が設置されている。前記手差しトレイＴＲ０には、手差し用の給紙部材の一例としての手差し用の給紙ロールＲｐ０が配置されている。
【００２８】
シートＳの搬送方向に対して、２次転写領域Ｑ４の下流側には、定着装置Ｆが配置されている。定着装置Ｆは、加熱用の定着部材の一例としての加熱ロールＦｈと、加圧用の定着部材の一例としての加圧ロールＦｐと、を有する。加熱ロールＦｈと加圧ロールＦｐとの接触領域により定着領域Ｑ５が構成されている。
定着装置Ｆの上方には、搬送路の一例としての排紙路ＳＨ３が配置されている。排紙路ＳＨ３は、媒体の排出部の一例として、プリンタ本体Ｕ１の上面に形成された排紙トレイＴＲｈに向けて延びる。排紙路ＳＨ３の下流端の排出口ＳＨ３ａには、媒体の搬送部材の一例としての排紙ロールＲｈが配置されている。
【００２９】
（プリンタの機能の説明）
前記構成を備えた実施例１のプリンタＵでは、パーソナルコンピュータＰＣから画像情報がプリンタＵに入力されると、制御部ＣがＹ，Ｍ，Ｃ、Ｋの画像情報に変換する。変換された画像情報は、書込回路ＤＬに出力される。書込回路ＤＬは、入力された画像情報に応じて、ＬＥＤヘッドＬＨｙ〜ＬＨｋが制御されて書込光が出力される。
各感光体ＰＲｙ〜ＰＲｋは、画像形成が開始されると回転駆動する。帯電ロールＣＲｙ〜ＣＲｋには、電源回路Ｅから帯電電圧が印加される。したがって、感光体ＰＲｙ〜ＰＲｋの表面は、帯電ロールＣＲｙ〜ＣＲｋにより帯電される。帯電された感光体ＰＲｙ〜ＰＲｋは、書込位置Ｑ１ｙ，Ｑ１ｍ，Ｑ１ｃ，Ｑ１ｋにおいて、ＬＥＤヘッドＬＨｙ〜ＬＨｋからの書込光により、表面に静電潜像が形成される。感光体ＰＲｙ〜ＰＲｋの静電潜像は、現像領域Ｑ２ｙ，Ｑ２ｍ，Ｑ２ｃ，Ｑ２ｋにおいて、現像装置Ｇｙ，Ｇｍ，Ｇｃ，Ｇｋにより可視像の一例としてのトナー像に現像される。
【００３０】
現像されたトナー像は、中間転写体の一例としての中間転写ベルトＢに接触する１次転写領域Ｑ３ｙ，Ｑ３ｍ，Ｑ３ｃ，Ｑ３ｋに搬送される。１次転写領域Ｑ３ｙ，Ｑ３ｍ，Ｑ３ｃ，Ｑ３ｋにおいて中間転写ベルトＢの裏面側に配置された１次転写ロールＴ1ｙ〜Ｔ1ｋには、制御部Ｃにより制御される電源回路Ｅから予め設定された時期にトナーの帯電極性と逆極性の１次転写電圧が印加される。したがって、各感光体ＰＲｙ〜ＰＲｋ上のトナー像は前記１次転写ロールＴ1ｙ〜Ｔ1ｋにより中間転写ベルトＢに転写される。なお、多色のトナー像の場合、上流側の１次転写領域で中間転写ベルトＢに転写されたトナー像に重ねて、下流側のトナー像が転写される。
１次転写後の感光体ＰＲｙ〜ＰＲｋの残留物、付着物は、感光体クリーナＣＬｙ〜ＣＬｋにより清掃される。清掃された感光体ＰＲｙ〜ＰＲｋ表面は、帯電ロールＣＲｙ〜ＣＲｋにより再帯電される。
１次転写領域Ｑ３ｙ〜Ｑ３ｋで１次転写ロールＴ1ｙ〜Ｔ1ｋにより中間転写ベルトＢ上に転写された単色または多色のトナー像は、２次転写領域Ｑ４に搬送される。
【００３１】
画像が記録されるシートＳは、使用される給紙トレイＴＲ１〜ＴＲ４のピックアップロールＲｐにより、取り出される。ピックアップロールＲｐで取り出されたシートＳは、複数枚のシートＳが重ねて取り出された場合、捌きロールＲｓにより１枚ずつに分離される。捌きロールＲｓで分離されたシートＳは、搬送ロールＲａにより給紙路ＳＨ１を搬送される。給紙路ＳＨ１を搬送されたシートＳは、レジロールＲｓに送られる。
手差しトレイＴＲ０に収容されたシートＳが使用される場合、手差し用の給紙ロールＲｐ０は、手差しトレイＴＲ０に積載されたシートＳを、手差し搬送路ＳＨ０を介して、レジロールＲｒに送る。
【００３２】
レジロールＲｒは、中間転写ベルトＢに形成されたトナー像が２次転写領域Ｑ４に搬送される時期を合わせて、シートＳを２次転写領域Ｑ４に搬送する。２次転写ロールＴ２ｂには、電源回路Ｅによりトナーの帯電極性と逆極性の２次転写電圧が印加される。したがって、中間転写ベルトＢ上のトナー像は、中間転写ベルトＢからシートＳに転写される。
２次転写後の前記中間転写ベルトＢは、中間転写体清掃器の一例としてのベルトクリーナＣＬbにより清掃される。
前記トナー像が２次転写された記録シートＳは、定着領域Ｑ５を通過する際に加熱定着される。
画像が定着された記録シートＳは、排紙路ＳＨ３を搬送される。後述する中継ユニットＵ２が排紙トレイＴＲｈに設置されていない場合には、排紙路ＳＨ３を搬送されたシートＳは、排紙ロールＲｈにより排紙トレイＴＲｈに排出される。
【００３３】
（中継ユニットＵ２の説明）
図１において、実施例１の前記プリンタＵの排紙トレイＴＲｈには、媒体の搬送装置の一例としての中継ユニットＵ２が着脱可能に支持されている。
中継ユニットＵ２の内部には、媒体の搬送路の一例としての中継路ＳＨ５が形成されている。中継路ＳＨ５は、プリンタ本体Ｕ１のシート排出口ＳＨ３ａに接続される一端側に、排紙ロールＲｈから排出された記録シートＳが搬入される搬入口１を有する。中継路ＳＨ５上には、媒体の搬送部材の一例としての中継ロールＲａ２が配置されている。中継路ＳＨ５は、シートＳの搬送方向の下流端に、後処理装置向けの排出口２が形成されている。
【００３４】
（画像転写装置の丁合装置の説明）
図１において、プリンタＵの左方には、画像転写装置Ｕ３が配置されている。実施例１の画像転写装置Ｕ３は、中継ユニットＵ２に隣接して配置された丁合装置Ｕ３ａを有する。
丁合装置Ｕ３ａの右側の下部には、第２の媒体の収容部の一例としてのカードトレイ６が支持されている。カードトレイ６には、第２の媒体の一例としてのカード基材７が積載されている。前記カード基材７には、情報の記憶媒体の一例としての図示しないＩＣチップが内蔵されている。実施例１のＩＣチップは、無線通信が可能なチップ、いわゆるＩＣタグにより構成されている。したがって、ＩＣチップを介して、非接触で情報の送受信が可能に構成されている。なお、実施例１のＩＣチップには、カード基材７の構成材料等の種類やカード基材７の大きさ等の媒体の情報が予め記憶されている。
【００３５】
丁合装置Ｕ３ａは、上部に、第２の媒体の排出部の一例としての第２の排紙トレイ８が形成されている。
また、丁合装置Ｕ３ａの内部には、カードトレイの左方に対応する位置に、積載部の一例としてのコンパイルトレイ９が支持されている。
【００３６】
また、丁合装置Ｕ３ａには、中継ユニットＵ２側に、中継路ＳＨ５の排出口２に接続される丁合用の搬入口１１が形成されている。丁合装置Ｕ３ａの内部には、丁合用の搬入口６から左方に延びる搬送路１２が形成されている。搬送路１２は、反転用の搬送路の一例であって排出用の搬送路の一例として、上方の第２の排紙トレイ８に向けて延びる反転・排出路１２ａを有する。また、搬送路１２は、媒体の搬送路の一例として、反転・排出路１２ａから分岐してコンパイルトレイ９に向けて延びる積載路１２ｂを有する。前記反転・排出路１２ａと積載路１２ｂとが分岐する位置には、媒体の搬送方向を切り替える部材の一例としてのゲート１３が配置されている。また、搬送路１２は、媒体の搬送路の一例として、カードトレイ６からコンパイルトレイ９に向けて延びて積載路１２ｂに合流する基材の給紙路１２ｃを有する。
搬送路１２上には、媒体の搬送部材の一例としての複数の搬送ローラＲａ３が配置されている。また、カードトレイ６の左上方には、各給紙トレイＴＲ１〜ＴＲ４に設けられたピックアップロールＲｐや捌きロールＲｓと同様に構成されたピックアップロールＲｐおよび捌きロールＲｓが配置されている。
【００３７】
実施例１のコンパイルトレイ９は、媒体の搬送方向の下流側である左方に行くに連れて上方に傾斜している。
コンパイルトレイ９の右端には、停止部材の一例として、上方に延びるストッパ１６が支持されている。なお、実施例１のストッパ１６は、コンパイルトレイ９に積載される媒体の搬送方向の長さに応じて、搬送方向に沿って移動可能に支持されている。前記ストッパ１６は、図示しないモータやギア等の駆動機構により、搬送方向に沿った位置が制御可能に構成されている。ストッパ１６は、コンパイルトレイ９に積載された媒体の搬送方向の後端に接触して媒体の後端を揃える。なお、実施例１のストッパ１６は、媒体が積載された状態で搬送方向の下流側に向けて移動することで、媒体を下流側に搬送する機能も有する。
【００３８】
コンパイルトレイ９の左右方向の中央部には、整合部材の一例としてのタンパ１７が支持されている。前記タンパ１７は、前後方向に移動可能に支持されている。したがって、タンパ１７は、コンパイルトレイ９に積載された媒体の前後方向の両端に接触、離間して、媒体の前後方向の端を揃える。
コンパイルトレイ９の左端には、仮留め装置１８が支持されている。仮留め装置１８は、コンパイルトレイ９の上方および下方に、可動部の一例としてのアーム１８ａが回転中心１８ｂを中心として回転可能に支持されている。アーム１８ａの先端には、加熱部１８ｃが支持されている。実施例１の仮留め装置１８は、前後方向に対して、予め設定された間隔で２箇所配置されている。
したがって、仮留め装置１８は、コンパイルトレイ９に積載された媒体を借り留めする場合、図１の実線で示す状態から破線で示す状態に移動して、各加熱部１８ｃが媒体に熱を加える。したがって、媒体は、熱が加わった前後２箇所が融着される。
【００３９】
前記コンパイルトレイ９の左方には、読取部の一例としてのエンコード部１９が配置されている。実施例１のエンコード部１９は、搬送部材の一例として、無端状の搬送ベルト１９ａを有する。搬送ベルト１９ａの上方には、読取部材の一例としてのカードリーダ１９ｂが配置されている。カードリーダ１９ｂは、カード基材７に内蔵されたＩＣチップの情報を、非接触の無線通信で送受信する。したがって、カードリーダ１９ｂは、ＩＣチップに記憶された情報を無線通信で読み取り可能である。
【００４０】
図３は実施例１の転写装置の本体部の要部説明図である。
丁合装置Ｕ３ａの左側には、転写装置の本体部Ｕ３ｂが支持されている。転写装置の本体部Ｕ３ｂには、媒体の搬送方向の上流端に、清掃部材の一例としてのクリーニングロール２１が配置されている。
クリーニングロール２１に対して、媒体の搬送方向の下流側には、媒体の検出部材の一例としてのシートセンサ２２が配置されている。
シートセンサ２２に対して、媒体の搬送方向の下流側には、第２の加熱部材の一例としてのプレヒートロール２３が配置されている。
プレヒートロール２３に対して、媒体の搬送方向の下流側には、加熱部材の一例としてのヒートロール２４が配置されている。
【００４１】
前記プレヒートロール２３およびヒートロール２４は、前後方向に延びる上下一対の円筒状のロール対により構成されている。プレヒートロール２３およびヒートロール２４の内部は、加熱体の一例として、前後方向に延びるヒータ２３ａ，２４ａが収容されている。
なお、ヒートロール２４やプレヒートロール２３には、各ロール２３，２４の表面の温度を検出するための温度センサＳＮ１，ＳＮ２が配置されている。
【００４２】
また、実施例１のヒートロール２４には、ヒートロール２４どうしの接触圧力を調整するための調整機構２４ｂが設けられている。実施例１の調整機構２４ｂは、偏心部材の一例としてのカム２４ｃの回転位置を調整することで、圧力を調整可能である。なお、このようなカム２４ｃを使用する調整機構２４ｂに関しては、例えば、特開２００８−１８５６３８号公報等に記載されており、従来公知の任意の構成を採用可能であるため、詳細な説明を省略する。
なお、実施例１のプレヒートロール２３は、ロール対どうしを加圧する機構を有しない。したがって、重力方向の上側のロールの自重で下側のロールに接触している。よって、ロールどうしの接触圧力は、上側のロールの自重となっている。したがって、実施例１のプレヒートロール２３の接触圧力は、ヒートロール２４の接触圧力よりも低圧に設定されている。
【００４３】
ヒートロール２４に対して、媒体の搬送方向の下流側には、媒体を冷却する冷却装置２６が配置されている。なお、冷却装置２６は、冷却部材の一例としてのヒートシンクと、ヒートシンクに送風する送風部材の一例としてのファンと、を有する従来公知の構成であるため、詳細な説明は省略する。
冷却装置２６に対して、媒体の搬送方向の下流側には、媒体の搬送部材の一例としての排出ロール２７が配置されている。
転写装置の本体部Ｕ３ｂの左側面には、媒体の収容部の一例としての第３の排出トレイ２８が支持されている。第３の排出トレイ２８は、排出ロール２７で搬送された媒体が排出される。
【００４４】
（画像転写装置の機能の説明）
図４は第１の媒体の説明図であり、図４Ａは実施例１の第１の媒体の説明図、図４Ｂは第１の媒体の変更例の説明図である。
実施例１のプリンタＵでは、中継ユニットＵ２や画像転写装置Ｕ３が装着された場合において、普通紙等のシートＳに画像が印刷されて排出される場合、プリンタの本体Ｕ１で画像が印刷されて中継ユニットＵ２に搬入されたシートＳは、第２の排紙トレイ８に排出される。
【００４５】
図４において、カード基材７の表面と裏面の一方または両方に画像が記録される場合、第１の媒体の一例としてのＭＯＥフィルム：Marking on Everythingフィルム３１が使用される。図４Ａにおいて、実施例１のＭＯＥフィルム３１は、膜状の基材層３１ａを有する。基材層３１ａの表面には、受像層３１ｂが支持されている。なお、基材層３１ａは、例えば、厚さが８０μｍのＰＥＴフィルムにより構成可能である。また、受像層３１ｂは、例えば、厚さが数μｍの従来公知のトナー受像層により構成可能である。なお、トナー受像層は、例えば、特許第４０１３６５８号公報や特許第４０１９９２１号公報等に記載された従来公知の構成を使用可能であるため、詳細な説明は省略する。
なお、図４Ｂに示すように、基材層３１ａと受像層３１ｂとの間に、保護層３１ｃを有するＭＯＥフィルム３１′を使用することも可能である。
カード基材７の片面または両面に画像が記録される場合、給紙トレイＴＲ１〜ＴＲ４に収容されたＭＯＥフィルム３１の受像層３１ｂに、プリンタの本体Ｕ１で印刷される。
受像層３１ｂに印刷が行われたＭＯＥフィルム３１は、中継ユニットＵ２を介して丁合装置Ｕ３ａに搬入される。
【００４６】
図５は実施例１の第２の媒体の両面に画像が印刷される場合の説明図であり、図５Ａは一面目の第１の媒体が積載部に積載された状態の説明図、図５Ｂは図５Ａに示す状態から第２の媒体が積載された状態の説明図、図５Ｃは図５Ｂに示す状態からさらに第１の媒体が積載された状態の説明図である。
図５Ａにおいて、丁合装置Ｕ３ａに搬入されたＭＯＥフィルム３１は、カード基材７の一面目の画像が印刷されたＭＯＥフィルム３１の場合、反転・排出路１２ａに搬送される。反転・排出路１２ａに搬送されたＭＯＥフィルム３１は、搬送方向の後端がゲート１３を通過すると、搬送ロールＲａ３が逆回転をする。したがって、ＭＯＥフィルム３１の搬送方向が、前後逆転、いわゆる、スイッチバックされる。よって、ＭＯＥフィルム３１は、受像層３１ｂが上面となる状態で、コンパイルトレイ９に収容される。
【００４７】
図５Ｂにおいて、次に、カードトレイ６からカード基材７が送り出される。カードトレイ６から送り出されたカード基材７は、ＭＯＥフィルム３１の上方に重ねて積載される。
図５Ｃにおいて、次に、二面目の画像が印刷されたＭＯＥフィルム３１が丁合装置Ｕ３ａに搬入されると、反転・排出路１２ａを通過せずに積載路１２ｂを搬送される。したがって、二面目の画像が印刷されたＭＯＥフィルム３１は、受像層３１ｂが下方に向き且つ受像層３１ｂがカード基材７の上面に対面した状態で、コンパイルトレイ９に積載される。
なお、カード基材７の一方の面にのみ画像が記録される場合には、記録される面に対応して、上側または下側のいずれか一方のＭＯＥフィルム３１のみコンパイルトレイ９に搬入される。
【００４８】
カード基材７とＭＯＥフィルム３１が積載されると、仮留め装置１８が作動して、カード基材７とＭＯＥフィルム３１とが、２箇所で熱で融着される。したがって、カード基材７とＭＯＥフィルム３１とが、仮留めされた一体的な積層体３２となる。
積層体３２は、下流側のエンコード部１９に搬送される。実施例１のエンコード部１９では、積層体３２が一旦停止して、カードリーダ１９ｂがＩＣチップに記憶された情報を読み取る。
エンコード部１９を通過した積層体３２は、下流側の転写装置の本体部Ｕ３ｂに搬送される。なお、実施例１のエンコード部１９では、下流側のプレヒートロール２３やヒートロール２４の温度が、目的の温度よりも高温または低温の場合には、目的の温度まで冷却または昇温されてから、搬送ベルト１９ａが作動する。すなわち、下流側の定着装置の本体部Ｕ３ｂに搬送可能な状態になるまで、積層体３２は、エンコード部１９で待機する。
【００４９】
転写装置の本体部Ｕ３ｂに搬入された積層体３２は、クリーニングロール２１に接触して、表面が清掃される。
クリーニングで清掃された積層体３２は、プレヒートロール２３でヒートロール２４よりも低温で加熱される。
プレヒートロール２３を通過した積層体３２は、ヒートロール２４で加熱される。ヒートロール２４は、ＭＯＥフィルム３１の受像層３１ｂが基材層３１ａからカード基材７の面に転写される温度で、積層体３２を加熱する。
【００５０】
ヒートロール２４で加熱された積層体３２は、冷却装置２６で冷却される。冷却装置２
６が設けられない場合、ＭＯＥフィルム３１とカード基材７との熱膨張率の違いに伴って、積層体３２に反りが発生する恐れがある。
冷却装置２６で冷却された積層体３２は、第３の排出トレイ２８に排出される。
したがって、第３の排出トレイ２８に排出された積層体３２において、ＭＯＥフィルム３１の基材層３１ａを剥がすと、カード基材７の一面または両面に画像が転写されたカードが得られる。よって、実施例１では、ＭＯＥフィルム３１は、いわば、カード基材７に対する中間の転写体に相当している。
【００５１】
（実施例１の制御部の説明）
図６は実施例１の画像形成装置の制御部分が備えている各機能をブロック図で示した図である。
図６において、プリンタ本体Ｕ１の制御部Ｃは、外部との信号の入出力等を行う入出力インターフェースＩ／Ｏを有する。また、制御部Ｃは、必要な処理を行うためのプログラムおよび情報等が記憶されたＲＯＭ：リードオンリーメモリを有する。また、制御部Ｃは、必要なデータを一時的に記憶するためのＲＡＭ：ランダムアクセスメモリを有する。また、制御部Ｃは、ＲＯＭ等に記憶されたプログラムに応じた処理を行うＣＰＵ：中央演算処理装置を有する。したがって、実施例１の制御部Ｃは、小型の情報処理装置、いわゆるマイクロコンピュータにより構成されている。よって、制御部Ｃは、ＲＯＭ等に記憶されたプログラムを実行することにより種々の機能を実現することができる。
【００５２】
（プリンタ本体Ｕ１の制御部Ｃに接続された信号出力要素）
前記プリンタ本体Ｕ１の制御部Ｃは、操作部ＵＩやカードリーダ１９ｂ、シートセンサ２２、温度センサＳＮ１，ＳＮ２等の信号出力要素からの出力信号が入力されている。
操作部ＵＩは、電源の投入部の一例としての電源ボタンＵＩ１や、表示部の一例としての表示パネルＵＩ２、数字入力部ＵＩ３、矢印入力部ＵＩ４、等を備えている。
カードリーダ１９ｂは、エンコード部１９に搬送されたカード基材７のＩＣチップに記憶された情報を読み取る。
シートセンサ２２は、プレヒートロール２３の上流側に搬送された積層体３２を検知する。
温度センサＳＮ１，ＳＮ２は、プレヒートロール２３やヒートロール２４の表面の温度を検出する。
【００５３】
（プリンタ本体Ｕ１の制御部Ｃに接続された被制御要素）
プリンタ本体Ｕ１の制御部Ｃは、駆動源の駆動回路Ｄ１や、電源回路Ｅ、加熱部材の駆動回路Ｄ２、圧力の調整機構の駆動回路Ｄ３、その他の図示しない制御要素に接続されている。制御部Ｃは、各回路Ｄ１〜Ｄ３，Ｅ等へ、それらの制御信号を出力している。
Ｄ１：駆動源の駆動回路
駆動源の駆動回路Ｄ１は、駆動源の一例としてのメインモータＭ１を介して感光体ＰＲｙ〜ＰＲｋや中間転写ベルトＢ等を回転駆動する。
Ｄ２：加熱部材の駆動回路
加熱部材の駆動回路Ｄ２は、加熱部材用の駆動源の一例としての転写モータＭ２を介してヒートロール２４を駆動する。なお、実施例１の転写モータＭ２は、プレヒートロール２３やクリーニングロール２１等も駆動する。
Ｄ３：圧力の調整機構の駆動回路
圧力の調整機構の駆動回路Ｄ３は、調整用の駆動源の一例としてのカムモータＭ３を介してカム２４ｃを駆動する。
【００５４】
Ｅ：電源回路
前記電源回路Ｅは、現像用の電源回路Ｅａ、帯電用の電源回路Ｅｂ、転写用の電源回路Ｅｃ、定着用の電源回路Ｅｄ、転写装置用の電源回路Ｅｅ等を有している。
Ｅａ：現像用の電源回路
現像用の電源回路Ｅａは、現像装置Ｇｙ〜Ｇｋの現像ロールに現像電圧を印加する。
Ｅｂ：帯電用の電源回路
帯電用の電源回路Ｅｂは、帯電ロールＣＲｙ〜ＣＲｋそれぞれに感光体ＰＲｙ〜ＰＲｋ表面を帯電させるための帯電電圧を印加する。
Ｅｃ：転写用の電源回路
転写用の電源回路Ｅｃは、１次転写ロールＴ１ｙ〜Ｔ１ｋや２次転写ロールＴ２ｂに転写電圧を印加する。
Ｅｄ：定着用の電源回路
定着用の電源回路Ｅｄは、定着装置Ｆの加熱ロールＦｈにヒータ加熱用の電力を供給する。
Ｅｅ：転写装置用の電源回路
転写装置用の電源回路Ｅｅは、画像転写装置Ｕ３のヒートロール２４やプレヒートロール２３のヒータ２３ａ，２４ａに、電力を供給する。
【００５５】
（プリンタ本体Ｕ１の制御部Ｃの機能）
プリンタ本体Ｕ１の制御部Ｃは、前記信号出力要素からの入力信号に応じた処理を実行して、前記各制御要素に制御信号を出力する機能を有している。すなわち、制御部Ｃは次の機能を有している。
Ｃ１：画像形成の制御手段
画像形成の制御手段Ｃ１は、パーソナルコンピュータＰＣから入力された画像情報に応じて、プリンタＵの各部材の駆動や各電圧の印加時期等を制御して、画像形成動作であるジョブを実行する。
Ｃ２：駆動源の制御手段
駆動源の制御手段Ｃ２は、駆動源の駆動回路Ｄ１を介してメインモータＭ１の駆動を制御し、感光体ＰＲｙ〜ＰＲｋ等の駆動を制御する。
【００５６】
Ｃ３：電源回路の制御手段
電源回路の制御手段Ｃ３は、各電源回路Ｅａ〜Ｅｅを制御して、各部材へ印加される電圧や、各部材へ供給される電力を制御する。
Ｃ４：媒体の情報の取得手段
媒体の情報の取得手段Ｃ４は、カード基材７の種類を取得する。実施例１の媒体の情報の取得手段Ｃ４は、カードリーダ１９ｂを介して、カード基材７の情報を取得する。
Ｃ５：加熱部材の制御手段
加熱部材の制御手段Ｃ５は、圧力の記憶手段の一例であって温度の記憶手段の一例としての加熱条件の記憶手段Ｃ５Ａと、加熱条件の設定手段Ｃ５Ｂと、回転の制御手段Ｃ５Ｃと、温度の制御手段Ｃ５Ｄと、圧力の制御手段Ｃ５Ｅと、変更時期の設定手段Ｃ５Ｆと、計時手段の一例としてのタイマＴＭ１と、変更時期の判別手段Ｃ５Ｇと、回転速度の変更手段Ｃ５Ｈと、圧力の変更手段Ｃ５Ｊと、を有する。加熱部材の制御手段Ｃ５は、ヒートロール２４の制御を行う。具体的には、実施例１の加熱部材の制御手段Ｃ５は、ヒートロール２４の回転速度や、圧力、温度の制御を行う。
【００５７】
図７は実施例１の加熱条件の説明図である。
Ｃ５Ａ：加熱条件の記憶手段
加熱条件の記憶手段Ｃ５Ａは、ヒートロール２４が積層体３２を加熱する条件を記憶する。図７において、実施例１の加熱条件の記憶手段Ｃ５Ａは、ヒートロール２４の温度とヒートロール２４の圧力を、カード基材７の種類毎に対応づけた情報の一例として、図７に示すテーブルを記憶している。なお、カード基材７の種類毎に最適なヒートロール２４の温度や圧力は、予め実験等で測定されている。
Ｃ５Ｂ：加熱条件の設定手段
設定手段の一例としての加熱条件の設定手段Ｃ５Ｂは、カード基材７の種類に応じて、ヒートロール２４において、積層体３２に加えられる温度および圧力の少なくとも一方を設定する。なお、実施例１の加熱条件の設定手段Ｃ５Ｂは、媒体の情報の取得手段Ｃ４が取得したカード基材７の種類に応じて、加熱条件の記憶手段Ｃ５Ａに記憶されたテーブルを参照して、積層体３２に加えられる温度Ｔ１〜Ｔ３および圧力Ｐ１〜Ｐ３の両方を設定する。
【００５８】
Ｃ５Ｃ：回転の制御手段
回転の制御手段Ｃ５Ｃは、ヒートロール２４の回転を制御する。実施例１の回転の制御手段Ｃ５Ｃは、加熱部材の駆動回路Ｄ２を介して、ヒートロール２４の回転速度を制御する。実施例１の回転の制御手段Ｃ５Ｃは、予め設定された第１の回転速度Ｖ１でヒートロール２４を回転させる。
Ｃ５Ｄ：温度の制御手段
温度の制御手段Ｃ５Ｄは、ヒートロール２４の温度を制御する。前記温度の制御手段Ｃ５Ｄは、転写装置用の電源回路Ｅｅを介して、ヒートロール２４の温度を制御する。実施例１の温度の制御手段Ｃ５Ｄは、温度センサＳＮ２の検知結果に基づき、加熱条件の設定手段Ｃ５Ｂで設定された温度Ｔ１〜Ｔ３となるように、ヒートロール２４のヒータ２４ａのオン、オフを制御する。すなわち、温度の制御手段Ｃ５Ｄは、ヒートロール２４を通過する積層体３２の種類に応じて、積層体３２に加えられる温度を制御する。
【００５９】
Ｃ５Ｅ：圧力の制御手段
圧力の制御手段Ｃ５Ｅは、ヒートロール２４の接触圧力を制御する。前記圧力の制御手段Ｃ５Ｅは、圧力の調整機構の駆動回路Ｄ３を介して、ヒートロール２４の接触圧力を制御する。実施例１の圧力の制御手段Ｃ５Ｅは、加熱条件の設定手段Ｃ５Ｂで設定された圧力に応じて、カム２４ｃを回転させることで圧力Ｐ１〜Ｐ３を制御する。すなわち、実施例１の圧力の制御手段Ｃ５Ｅは、ヒートロール２４を通過する積層体３２の種類に応じて、積層体３２に加えられる圧力を制御する。
【００６０】
Ｃ５Ｆ：変更時期の設定手段
変更時期の設定手段Ｃ５Ｆは、ヒートロール２４の圧力および回転速度の少なくとも一方が変更される時期を設定する。実施例１の変更時期の設定手段Ｃ５Ｆは、ヒートロール２４の圧力および回転速度の両方が変更される時期として、積層体３２の搬送方向の後端が、ヒートロール２４を通過する前の予め設定された時期を設定する。特に、実施例１の変更時期の設定手段Ｃ５Ｆは、シートセンサ２２が積層体３２の前端を検出してから、積層体３２の後端がヒートロール２４を通過する手前までの時間である変更時間ｔ１を設定する。なお、変更時間ｔ１は、予め実験等で測定される。一例として、変更時期の設定手段Ｃ５Ｆは、媒体の情報の取得手段Ｃ４が取得したカード基材７の大きさに基づき、カード基材７の搬送方向の長さＬ［ｍｍ］に対して、２［ｍｍ］手前で圧力および回転速度を変更するように設定する。すなわち、変更時間ｔ１は、ヒートロール２４の周速である第１の回転速度Ｖ１を使用して、ｔ１＝（Ｌ−２）／Ｖ１で演算される。
【００６１】
ＴＭ１：タイマ
タイマＴＭ１は、変更時期の計時を行う。実施例１のタイマＴＭ１は、シートセンサ２２を積層体３２の前端が通過すると、変更時間ｔ１の計時が開始される。そして、変更時間ｔ１が経過すると、計時を終了、すなわち、タイムアップする。
Ｃ５Ｇ：変更時期の判別手段
変更時期の判別手段Ｃ５Ｇは、タイマＴＭ１がタイムアップしたか否かを判別することで、変更時間ｔ１になったか否かを判別する。
【００６２】
Ｃ５Ｈ：回転速度の変更手段
回転速度の変更手段Ｃ５Ｈは、積層体３２の搬送方向の後端が、ヒートロール２４を通過する前の予め設定された時期に、ヒートロール２４の回転速度を、第１の回転速度Ｖ１よりも低速の第２の回転速度Ｖ１′に変更する。実施例１の回転速度の変更手段Ｃ５Ｈは、変更時期の判別手段Ｃ５Ｇが、変更時間ｔ１が経過して、回転速度を変更する時期になったと判別した場合に、ヒートロール２４の回転速度を、第１の回転速度Ｖ１から第２の回転速度Ｖ１′に変更する。なお、第２の回転速度Ｖ１′は、予め実験等で測定される。一例として、実施例１では、第２の回転速度Ｖ１′は、第１の回転速度Ｖ１に比べて、５％低速の速度に設定されている。すなわち、Ｖ１′＝Ｖ１×０．９５に設定されている。
【００６３】
Ｃ５Ｊ：圧力の変更手段
圧力の変更手段Ｃ５Ｊは、ヒートロール２４の回転速度が第２の回転速度Ｖ２に変更された際に、ヒートロール２４が積層体３２を加圧する圧力Ｐ１〜Ｐ３を、第１の圧力よりも弱い第２の圧力Ｐ１′〜Ｐ３′に変更する。実施例１の圧力の変更手段Ｃ５Ｊは、変更時期の判別手段Ｃ５Ｇが、変更時間ｔ１が経過して、圧力を変更する時期になったと判別した場合に、ヒートロール２４の圧力を、第１の圧力Ｐ１〜Ｐ３から第２の圧力Ｐ１′〜Ｐ３′に変更する。なお、第２の圧力Ｐ１′〜Ｐ３′は、予め実験等で測定される。実施例１では、第２の圧力Ｐ１′〜Ｐ３′は、一例として、第１の圧力Ｐ１〜Ｐ３に対して、半分の圧力に設定されている。すなわち、Ｐ１′＝Ｐ１×０．５、Ｐ２′＝Ｐ２×０．５、Ｐ３′＝Ｐ３×０．５に設定されている。
【００６４】
Ｃ６：予備加熱部材の制御手段
予備加熱部材の制御手段Ｃ６は、温度の制御手段Ｃ６Ａを有する。予備加熱部材の制御手段Ｃ６は、プレヒートロール２３の制御を行う。なお、実施例１では、ヒートロール２４と共通の転写モータＭ２を使用している。したがって、プレヒートロール２３は、前記回転の制御手段Ｃ５Ｃの制御に伴って連動して回転する。
Ｃ６Ａ：温度の制御手段
温度の制御手段Ｃ６Ａは、プレヒートロール２３の温度を制御する。前記温度の制御手段Ｃ６Ａは、転写装置用の電源回路Ｅｅを介して、プレヒートロール２３の温度を制御する。実施例１の温度の制御手段Ｃ６Ａは、温度センサＳＮ１の検知結果に基づき、予め設定された温度Ｔ１１となるように、プレヒートロール２３のヒータ２３ａのオン、オフを制御する。なお、実施例１の温度の制御手段Ｃ６Ａでは、プレヒートロール２３の温度Ｔ１１は、ヒートロール２４の温度Ｔ１〜Ｔ３に比べて低温の温度に設定されている。一例として、実施例１では、ヒートロール２４の温度Ｔ１〜Ｔ３がカード基材７の種類に応じて１２０℃前後に設定されると共に、プレヒートロール２３の温度Ｔ１１が８０℃に設定される。
【００６５】
（実施例１の流れ図の説明）
次に、実施例１のプリンタＵにおける制御の流れを流れ図、いわゆるフローチャートを使用して説明する。
なお、実施例１の画像転写装置Ｕ３におけるコンパイルトレイ９に媒体を搬送する処理や、全ての媒体がコンパイルトレイ９に積載されると仮留めを行う処理、仮留め後に積層体３２を搬送する処理等については、簡単のため、図示および詳細な説明を省略する。
【００６６】
（転写条件の制御処理のフローチャートの説明）
図８は実施例１の転写条件の制御処理のフローチャートの説明図である。
図８のフローチャートの各ステップＳＴの処理は、前記プリンタＵの制御部Ｃに記憶されたプログラムに従って行われる。また、この処理はプリンタＵの他の各種処理と並行して実行される。
図８に示すフローチャートはプリンタＵの電源投入により開始される。
【００６７】
図８のＳＴ１において、画像形成動作、いわゆる、ジョブが開始されたか否かを判別する。イエス（Ｙ）の場合はＳＴ２に進み、ノー（Ｎ）の場合はＳＴ１を繰り返す。
ＳＴ２において、次の処理（１）、（２）を実行して、ＳＴ３に進む。
（１）ヒートロールおよびプレヒートロールを第１の回転速度Ｖ１で回転開始する。
（２）ヒートロールおよびプレヒートロールの昇温を開始する。
ＳＴ３において、カード基材７の種類の情報を受信したか否かを判別する。イエス（Ｙ）の場合はＳＴ４に進み、ノー（Ｎ）の場合はＳＴ３を繰り返す。
【００６８】
ＳＴ４において、図７に示すテーブルに基づいて、カード基材７の種類に応じたヒートロール２４の温度Ｔ１〜Ｔ３と、第１の圧力Ｐ１〜Ｐ３を設定する。そして、ＳＴ５に進む。
ＳＴ５において、シートセンサ２２が積層体３２の前端を検知したか否かを判別する。イエス（Ｙ）の場合はＳＴ６に進む。ノー（Ｎ）の場合はＳＴ５を繰り返す。
ＳＴ６において、変更時間ｔ１をタイマＴＭ１にセットする。そして、ＳＴ７に進む。
ＳＴ７において、タイマＴＭ１がタイムアップしたか否かを判別する。すなわち、変更時間ｔ１が経過したか否かを判別する。イエス（Ｙ）の場合はＳＴ８に進む。ノー（Ｎ）の場合はＳＴ７を繰り返す。
【００６９】
ＳＴ８において、次の処理（１）、（２）を実行して、ＳＴ９に進む。
（１）ヒートロール２４の回転速度を第１の回転速度Ｖ１から第２の回転速度Ｖ１′に変更する。
（２）ヒートロール２４の圧力を第１の圧力Ｐ１〜Ｐ３から第２の圧力Ｐ１′〜Ｐ３′に変更する。
ＳＴ９において、ジョブが終了したか否かを判別する。イエス（Ｙ）の場合はＳＴ１０に進む。ノー（Ｎ）の場合はＳＴ３に戻る。
ＳＴ１０において、次の処理（１）、（２）を実行して、ＳＴ１に戻る。
（１）ヒートロール２４およびプレヒートロール２３の回転を停止する。
（２）ヒートロール２４およびプレヒートロール２３の加熱を停止する。
【００７０】
（転写条件の制御処理の機能）
前記構成を備えた実施例１のプリンタＵでは、カード基材７の一面または両面に画像を転写する前に、積層体３２は、プレヒートロール２３でヒートロール２４よりも低温且つ低圧で加熱される。仮に、高温のヒートロール２４に、加熱されていない積層体３２が進入すると、ヒートロール２４の温度が低下しすぎることがある。この場合、熱量が不足して、転写不良が発生する恐れがある。これに対応して、実施例１のプリンタＵでは、ヒートロール２４で、転写が行われる前に、プレヒートロール２３で積層体３２が予め加熱されている。すなわち、積層体３２は、プレヒートロール２３で、加温されて温められる。
ここで、プレヒートロール２３の温度や圧力が、ヒートロール２４の温度や圧力に比べて高温であったり高圧である場合には、プレヒートロール２３において、転写が行われる恐れがある。特に、圧力が高い場合には、転写が行われる恐れが高くなる。プレヒートロール２３とヒートロール２４の２段階で転写が行われると、カード基材７の表面への画像の付着力にムラが発生したりＭＯＥフィルム３１に画像が残る等の転写不良が発生する恐れがある。
【００７１】
これに対して、実施例１では、プレヒートロール２３の温度や圧力が、ヒートロール２４の温度や圧力に対して、低温且つ低圧に設定されている。特に、実施例１のプレヒートロール２３は、接触圧力が自重に設定されており、積層体３２を挟んで下流側に搬送可能な程度の最低限に近い圧力しか積層体３２には付与されない。したがって、プレヒートロール２３を積層体３２が通過する際に、ＭＯＥフィルムからカード基材７に画像が非転写の状態で通過する。なお、非転写の状態とは、カード基材７において画像として認識が可能な程度には画像が転写しない状態を意味し、画像として認識可能でない程度に画像が転写した状態は非転写の状態とする。
そして、画像が非転写の状態且つプレヒートロール２３で温められた積層体３２は、プレヒートロールを有しない構成に比べて、ヒートロール２４を通過する際に、熱量が不足しにくい。したがって、実施例１のプリンタＵでは、プレヒートロールを有しない構成に比べて、転写不良の発生が低減されている。
【００７２】
プレヒートロール２３で温められた積層体３２は、ヒートロール２４に搬送される。実施例１のヒートロール２４では、積層体３２がヒートロール２４から加えられる熱および圧力は、エンコード部１９で読み取られたカード基材７の種類に応じて、調整される。カード基材７は、構成材料がプラスチックである場合や紙である場合、厚さが厚い場合や薄い場合、カード基材７の表面に艶を出すための加工等がしてある場合がある。したがって、従来の構成のように、カード基材７の種類に関わらず一定の温度および圧力でＭＯＥフィルムからカード基材７に画像を転写しようとしても、カード基材７の種類によってはＭＯＥフィルム３１から画像を転写する温度や圧力が、過剰であったり不足したりすることがある。温度や圧力が過剰、または、不足した場合には、画像がＭＯＥフィルム３１側に残ってしまったり、カード基材７が変質したりして、画質が低下する恐れがある。また、温度や圧力が過剰または不足すると、カード基材７が割れる等の破損の恐れもある。
これに対して、実施例１では、ヒートロール２４の温度および圧力が、エンコード部１９で読み取られたカード基材７の種類に応じて調整される。よって、カードの種類に関わらず一定の温度、圧力を加える従来の構成に比べて、積層体３２に加えられる温度や圧力が過剰になったり、不足することが低減される。
【００７３】
特に、実施例１では、エンコード部１９で、１枚ずつカード基材７の種類が読み取られる。したがって、カードトレイ６に積載されたカード基材７の種類が混在している場合や、誤って混在した場合、それまで使用していたカード基材７とは異なる種類のカード基材７を使用する場合でも、エンコード部１９が自動的に種類の変更を読み取ることが可能である。したがって、カード基材７の種類が異なっても、カード基材７に応じて適切な温度や圧力が積層体３２に加えられる。
また、実施例１では、エンコード部１９のカードリーダ１９ｂが、無線通信でカード基材７の情報を取得している。仮に、磁気テープ等の記憶媒体をカード基材７で使用する場合、接触式のカードリーダが必要となり、カード基材７の表面に積層されたＭＯＥフィルム３１に傷が付いて画像が損なわれる恐れがある。また、接触式のカードリーダの場合、読み取り部、いわゆる読み取りヘッドに対してカード基材７の位置が少しずれてしまうと、読み取り不良になりやすい問題もある。これらに対して、実施例１では、カードリーダ１９ｂが無線通信でカード基材７から情報を取得可能であり、接触式に比べて、画像の損傷や、情報の読み取り不良が発生しにくい。
【００７４】
また、実施例１のプリンタＵでは、積層体３２の後端がヒートロール２４を通過する直前で、ヒートロール２４の回転速度が低速になると共に、ヒートロール２４の圧力が減圧される。
ここで、熱と圧力でＭＯＥフィルム３１からカード基材７へ画像を転写する実施例１の技術とは原理が異なるが、トナーを記録用紙に電圧の印加で転写する技術において、従来技術では、記録用紙が転写ロールに進入してから１／２を通過した時点で回転速度を落として、後端部分での増速に伴う転写不良に対応していた。
この従来技術を、そのままＭＯＥフィルム３１からカード基材７への画像の転写に適用すると、回転速度が低下した後側の部分で、ＭＯＥフィルム３１の表面のトナーが、熱と圧力で溶けすぎてしまい、ＭＯＥフィルム３１との密着力が高くなりすぎる問題が発生する。したがって、第３の排出トレイ２８に排出された積層体３２において、ＭＯＥフィルム３１を剥がそうとすると、基材層３１ａだけが剥がれずに、基材層３１ａに画像の一部が残ってしまう転写不良が発生する問題がある。
【００７５】
これに対して、実施例１では、積層体３２の後端がヒートロール２４を通過する直前で、ヒートロール２４の回転速度が低速になると共に、ヒートロール２４の圧力も減圧されている。したがって、実施例１では、媒体の１／２がヒートロール２４を通過した時点で回転速度を落とすだけの従来技術に比べて、積層体３２における後端部分の増速に伴う転写不良が低減されると共に、画像の基材層３１ａへの残留も低減される。
【実施例２】
【００７６】
図９は実施例２の画像形成装置の制御部分が備えている各機能をブロック図で示した図であり、実施例１の図６に対応する図である。
なお、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
実施例２のプレヒートロール２３には、実施例１のヒートロール２４と同様に、図示しない第２の圧力の調整機構が設けられている。
図９において、実施例２の制御部Ｃは、第２の圧力の調整機構の駆動回路Ｄ４を介して第２のカムモータＭ４を制御可能である。また、実施例２の制御部Ｃでは、実施例１の制御部Ｃが有する各手段に対して、予備加熱部材の制御手段Ｃ６が温度の制御手段Ｃ６Ａに替えて、以下の手段Ｃ６Ａ′、Ｃ６Ｂ〜Ｃ６Ｄを有する点が異なる。
【００７７】
図１０は実施例２の予備加熱条件の説明図である。
Ｃ６Ｂ：予備加熱条件の記憶手段
予備加熱部材の圧力の記憶手段の一例であって、予備加熱部材の温度の記憶手段の一例としての予備加熱条件の記憶手段Ｃ６Ｂは、プレヒートロール２３が積層体３２を加熱する条件を記憶する。図１０において、実施例２の予備加熱条件の記憶手段Ｃ６Ｂは、プレヒートロール２３の温度Ｔ１１〜Ｔ１３とプレヒートロール２３の圧力Ｐ１１〜Ｐ１３を、カード基材７の種類毎に対応づけた情報の一例として、図１０に示すテーブルを記憶している。なお、カード基材７の種類毎に最適なプレヒートロール２３の温度Ｔ１１〜Ｔ１３や圧力Ｐ１１〜Ｐ１３は、予め実験等で測定されている。
【００７８】
Ｃ６Ｃ：予備加熱条件の設定手段
第２の設定手段の一例としての予備加熱条件の設定手段Ｃ６Ｃは、カード基材７の種類に応じて、プレヒートロール２３において、積層体３２に加えられる温度および圧力の少なくとも一方を設定する。なお、実施例２の予備加熱条件の設定手段Ｃ６Ｃは、媒体の情報の取得手段Ｃ４が取得したカード基材７の種類に応じて、予備加熱条件の記憶手段Ｃ６Ｂに記憶されたテーブルを参照して、積層体３２に加えられる温度Ｔ１１〜Ｔ１３および圧力Ｐ１１〜Ｐ１３の両方を設定する。
【００７９】
Ｃ６Ａ′：温度の制御手段
温度の制御手段Ｃ６Ａ′は、プレヒートロール２３の温度を制御する。温度の制御手段Ｃ６Ａ′は、転写装置用の電源回路Ｅｅを介して、プレヒートロール２３の温度を制御する。実施例２の温度の制御手段Ｃ６Ａ′は、温度センサＳＮ１の検知結果に基づき、予備加熱条件の設定手段Ｃ６Ｃで設定された温度Ｔ１１〜Ｔ１３となるように、プレヒートロール２３のヒータ２３ａのオン、オフを制御する。なお、実施例２では、プレヒートロール２３の温度Ｔ１１〜Ｔ１３は、ヒートロール２４の温度Ｔ１〜Ｔ３に比べて、低温且つ温度差が予め設定された温度差となる温度に設定される。一例として、実施例２では、ヒートロール２４の温度Ｔ１〜Ｔ３に対して、プレヒートロール２３の温度Ｔ１１〜Ｔ１３が、温度差が４０℃となるように設定される。すなわち、Ｔ１−Ｔ１１＝４０℃、Ｔ２−Ｔ１２＝４０℃、Ｔ３−Ｔ１３＝４０℃に設定されている。
【００８０】
Ｃ６Ｄ：圧力の制御手段
圧力の制御手段Ｃ６Ｄは、プレヒートロール２３の接触圧力を制御する。前記圧力の制御手段Ｃ６Ｄは、第２の圧力の調整機構を介して、プレヒートロール２３の接触圧力を制御する。実施例２の圧力の制御手段Ｃ６Ｄは、予備加熱条件の設定手段Ｃ６Ｃで設定された圧力Ｐ１１〜Ｐ１３に応じて、第２のカムを回転させることで圧力Ｐ１１〜Ｐ１３を制御する。すなわち、実施例２の圧力の制御手段Ｃ６Ｄは、プレヒートロール２３を通過する積層体３２の種類に応じて、積層体３２に加えられる圧力を制御する。
【００８１】
（実施例２のフローチャートの説明）
図１１は実施例２の転写条件の制御処理のフローチャートの説明図であり、実施例１の図８に対応する図である。
図１１において、実施例２の転写条件の制御処理では、実施例１の転写条件の制御処理に対して、ＳＴ４′においてプレヒートロール２３の温度および圧力も設定する点が異なるだけで、その他の処理は共通である。したがって、詳細な説明は省略する。
【００８２】
（実施例２の転写条件の制御処理の機能）
前記構成を備えた実施例２のプリンタＵでは、実施例１に比べて、プレヒートロール２３でも、シート基材７の種類に応じて、温度と圧力が設定される。仮に、プレヒートロール２３の温度が常時一定の場合、プレヒートロール２３とヒートロール２４の温度差が安定せず、予備加熱が不十分になる恐れがある。また、プレヒートロール２３の圧力が常時一定の場合、プレヒートロール２３を積層体３２が通過する際に、過剰な圧力を受けて積層体３２が破損したり、圧力が不足して搬送不良が発生したりする場合がある。これに対して、実施例２では、シート基材７の種類に応じてプレヒートロール２３の温度と圧力が設定されており、予備加熱が不十分になること等が抑制される。
【実施例３】
【００８３】
図１２は実施例３の画像形成装置の制御部分が備えている各機能をブロック図で示した図であり、実施例１の図６に対応する図である。
なお、この実施例３の説明において、前記実施例１、２の構成要素に対応する構成要素には同一の符号を付して、その詳細な説明を省略する。
この実施例３は、下記の点で前記実施例１、２と相違しているが、他の点では前記実施例１、２と同様に構成されている。
図１２において、実施例３の制御部Ｃでは、実施例２の制御部Ｃが有する各手段と比較して、加熱部材の制御手段Ｃ５が、加熱条件の記憶手段Ｃ５Ａに替えて加熱条件の記憶手段Ｃ５Ａ′を有する点と、変更時期の調整手段Ｃ５Ｋが追加された点が異なる。
【００８４】
図１３は実施例３の加熱条件の説明図であり、実施例１の図７に対応する図である。
Ｃ５Ａ′：加熱条件の記憶手段
加熱部材の圧力の記憶手段の一例であり、加熱部材の温度の記憶手段の一例であって、変更時期の記憶手段の一例としての加熱条件の記憶手段Ｃ５Ａ′は、ヒートロール２４が積層体３２を加熱する条件を記憶する。図１３において、実施例３の加熱条件の記憶手段Ｃ５Ａ′は、実施例１と同様に、ヒートロール２４の第１の温度Ｔ１〜Ｔ３および第１の圧力Ｐ１〜Ｐ３に加えて、カード基材の種類に応じた変更時期の補正時間Δｔ１〜Δｔ３を記憶する。したがって、実施例３の加熱条件の記憶手段Ｃ５Ａ′は、変更時期の設定手段Ｃ５Ｆで設定される変更時間ｔ１〜ｔ３を、カード基材７の種類に応じて最適な変更時期に調整するための補正時間Δｔ１〜Δｔ３を記憶する。なお、カード基材７の種類毎に最適なヒートロール２４の補正時間Δｔ１〜Δｔ３は、予め実験等で測定されている。
【００８５】
Ｃ５Ｋ：変更時期の調整手段
調整手段の一例としての変更時期の調整手段Ｃ５Ｋは、積層体３２の種類に基づいて、第２の回転速度Ｖ１′に変更する時期を調整する。実施例３の変更時期の調整手段Ｃ５Ｋは、変更時期の設定手段Ｃ５Ｆで設定された変更時間ｔ１と、カード基材７の種類に応じた補正時間Δｔ１〜Δｔ３と、に基づいて、変更時期の調整を行う。一例として、実施例３の変更時期の調整手段Ｃ５Ｋでは、変更時期の設定手段Ｃ５Ｆで設定された変更時間ｔ１に補正時間Δｔ１〜Δｔ３を減算した時間を調整後の変更時間ｔ１′〜ｔ３′とする。すなわち、ｔ１′＝ｔ１−Δｔ１、ｔ２′＝ｔ１−Δｔ２、ｔ３′＝ｔ１−Δｔ３と演算を行う。なお、実施例３では、カード基材７が厚いほど、補正時間Δｔ１〜Δｔ３の値が大きくなるように設定されている。
【００８６】
（実施例３のフローチャートの説明）
図１４は実施例３の転写条件の制御処理のフローチャートの説明図であり、実施例１の図８に対応する図である。
図１４において、実施例３の転写条件の制御処理では、実施例１の転写条件の制御処理のＳＴ４、ＳＴ６に替えて、以下の処理ＳＴ２１，ＳＴ２２を実行する点が異なるだけで、その他の処理は共通である。したがって、共通する処理に関しては詳細な説明は省略する。
ＳＴ２１において、次の処理（１）、（２）を実行する。そして、ＳＴ５に進む。
（１）図１３に示すテーブルに基づいて、カード基材７の種類に応じたヒートロール２４の温度Ｔ１〜Ｔ３と第１の圧力Ｐ１〜Ｐ３を設定する。また、図１０に示すテーブルに基づいて、カード基材７の種類に応じたプレヒートロール２３の温度Ｔ１１〜Ｔ１３と圧力Ｐ１１〜Ｐ１３を設定する。
（２）図１３に示すテーブルに基づいて、カード基材の種類に応じて、変更時間ｔ１′〜ｔ３′を設定する。
ＳＴ２２において、変更時間ｔ１′〜ｔ３′をタイマＴＭ１にセットする。そして、ＳＴ７に進む。
【００８７】
（実施例３の転写条件の制御処理の機能）
前記構成を備えた実施例３のプリンタＵでは、実施例１，２に比べて、ヒートロール２４において、ヒートロール２４の回転速度および圧力を変更する時期が、カード基材７の種類に応じて変更される点が異なる。
積層体３２の搬送方向の後端がヒートロール２４を抜ける際に、ヒートロール２４の弾性復元に伴って、積層体３２が押し出される力を受ける。積層体３２が押し出される力を受けると、積層体３２が厚いほど下流側に飛び出しやすくなる。積層体３２の飛び出しが発生すると、搬送方向の後端部での転写不良や、下流側の冷却装置２６での冷却が不十分になってしまう恐れがある。カード基材７の大きさに関わらず、変更時期ｔ１が一定の場合、厚い積層体３２が使用される場合に、転写不良等が発生する恐れがある。
これに対して、実施例３では、カード基材７の種類に応じて、厚い積層体３２ほど、ヒートロール２４の回転速度および圧力を変更する時期が早くなるように調整されている。したがって、変更時期の調整が行われない場合に比べて、積層体３２の飛び出しが低減される。
【実施例４】
【００８８】
図１５は実施例４の画像形成装置の制御部分が備えている各機能をブロック図で示した図であり、実施例１の図６に対応する図である。
なお、この実施例４の説明において、前記実施例１〜３の構成要素に対応する構成要素には同一の符号を付して、その詳細な説明を省略する。
この実施例４は、下記の点で前記実施例１〜３と相違しているが、他の点では前記実施例１〜３と同様に構成されている。
図１５において、実施例４の制御部Ｃでは、実施例３の制御部Ｃが有する各手段と比較して、加熱部材の制御手段Ｃ５が、加熱条件の記憶手段Ｃ５Ａ′と加熱条件の設定手段Ｃ５Ｂに変えて、加熱条件の記憶手段Ｃ５Ａ″と加熱条件の設定手段Ｃ５Ｂ″を有する点が異なる。
【００８９】
図１６は実施例４の加熱条件の説明図であり、実施例１の図７に対応する図である。
Ｃ５Ａ″：加熱条件の記憶手段
加熱部材の圧力の記憶手段の一例であり、加熱部材の温度の記憶手段の一例であり、変更時期の記憶手段の一例であり、回転速度の記憶手段の一例としての加熱条件の記憶手段Ｃ５Ａ″は、ヒートロール２４が積層体３２を加熱する条件を記憶する。図１６において、実施例４の加熱条件の記憶手段Ｃ５Ａ″は、実施例３と同様に、ヒートロール２４の第１の温度Ｔ１〜Ｔ３および第１の圧力Ｐ１〜Ｐ３、カード基材７の種類に応じた変更時期の補正時間Δｔ１〜Δｔ３に加えて、第２の圧力Ｐ１′〜Ｐ３′と、第１の回転速度Ｖ１〜Ｖ３および第２の回転速度Ｖ１′〜Ｖ３′を記憶する。したがって、実施例４の加熱条件の記憶手段Ｃ５Ａ″は、変更時期ｔ１′〜ｔ３′になった場合に、変更された後のヒートロール２４の圧力としての第２の圧力Ｐ１′〜Ｐ３′を、シート基材７の種類毎に記憶する。また、実施例４の加熱条件の記憶手段Ｃ５Ａ″は、変更時期ｔ１′〜ｔ３′になった場合に、変更される前のヒートロール２４の第１の回転速度Ｖ１〜Ｖ３と、変更された後のヒートロール２４の第２の回転速度Ｖ１′〜Ｖ３′を記憶する。なお、カード基材７の種類毎に最適なヒートロール２４の第２の圧力Ｐ１′〜Ｐ３′、第１の回転速度Ｖ１〜Ｖ３、第２の回転速度Ｖ１′〜Ｖ３′は、予め実験等で測定されている。
【００９０】
Ｃ５Ｂ″：加熱条件の設定手段
設定手段の一例としての加熱条件の設定手段Ｃ５Ｂ″は、カード基材７の種類に応じて、ヒートロール２４において、積層体３２に加えられる温度および圧力の少なくとも一方を設定する。なお、実施例４の加熱条件の設定手段Ｃ５Ｂ″は、媒体の情報の取得手段Ｃ４が取得したカード基材７の種類に応じて、加熱条件の記憶手段Ｃ５Ａ″に記憶されたテーブルを参照して、積層体３２に加えられる温度Ｔ１〜Ｔ３、第１の圧力Ｐ１〜Ｐ３、第２の圧力Ｐ１′〜Ｐ３′、第１の回転速度Ｖ１〜Ｖ３、第２の回転速度Ｖ１′〜Ｖ３′を設定する。
【００９１】
（実施例４のフローチャートの説明）
図１７は実施例４の転写条件の制御処理のフローチャートの説明図であり、実施例３の図１４に対応する図である。
図１７において、実施例４の転写条件の制御処理では、実施例３の転写条件の制御処理のＳＴ２１、ＳＴ８に替えて、以下の処理ＳＴ３１、ＳＴ３２を実行する点が異なるだけで、その他の処理は共通である。したがって、共通する処理に関しては詳細な説明は省略する。
【００９２】
ＳＴ３１において、次の処理（１）〜（３）を実行する。そして、ＳＴ５に進む。
（１）図１７に示すテーブルに基づいて、カード基材７の種類に応じたヒートロール２４の温度Ｔ１〜Ｔ３と第１の圧力Ｐ１〜Ｐ３を設定する。また、図１０に示すテーブルに基づいて、カード基材７の種類に応じたプレヒートロール２３の温度Ｔ１１〜Ｔ１３と圧力Ｐ１１〜Ｐ１３を設定する。
（２）図１７に示すテーブルに基づいて、カード基材の種類に応じて、変更時間ｔ１′〜ｔ３′を設定する。
（３）図１７に示すテーブルに基づいて、カード基材７の種類に応じたヒートロール２４の第１の回転速度Ｖ１〜Ｖ３、第２の回転速度Ｖ１′〜Ｖ３′と第２の圧力Ｐ１′〜Ｐ３′を設定する。
ＳＴ３２において、次の処理（１）、（２）を実行する。そして、ＳＴ９に進む。
（１）ヒートロール２４の回転速度を第１の回転速度Ｖ１〜Ｖ３から第２の回転速度Ｖ１′〜Ｖ３′に変更する。
（２）ヒートロール２４の圧力を第１の圧力Ｐ１〜Ｐ３から第２の圧力Ｐ１′〜Ｐ３′に減圧する。
【００９３】
（実施例４の転写条件の制御処理の機能）
前記構成を備えた実施例４のプリンタＵでは、実施例１〜３に比べて、ヒートロール２４の回転速度および圧力の変更前後の値が、カード基材７の種類に応じて設定される点が異なる。すなわち、実施例１〜３のように、第１の回転速度Ｖ１や第２の回転速度Ｖ１′が固定されていたり、第２の圧力Ｐ１′〜Ｐ３′が一律に第１の圧力Ｐ１〜Ｐ３の半分の値である場合、カード基材７の種類によっては、対応しきれない場合もある。これに対して、実施例４では、カードの種類に応じて、回転速度Ｖ１〜Ｖ３、Ｖ１′〜Ｖ３′や圧力Ｐ１〜Ｐ３、Ｐ１′〜Ｐ３′が設定されている。したがって、カード基材７の種類に応じて、最適な状況で、ＭＯＥフィルム３１からカード基材７に画像の転写が可能になっている。
特に、実施例３において前述したように、厚い積層体３２の場合は、ヒートロール２４を後端が通過する際に飛び出しやすい。したがって、第２の回転速度Ｖ１′〜Ｖ３′を積層体３２が厚いほど、低速にした場合、飛び出しがさらに抑制されやすくなる。
【実施例５】
【００９４】
図１８は実施例５の画像形成装置の制御部分が備えている各機能をブロック図で示した図であり、実施例１の図６に対応する図である。
なお、この実施例５の説明において、前記実施例１〜４の構成要素に対応する構成要素には同一の符号を付して、その詳細な説明を省略する。
この実施例５は、下記の点で前記実施例１〜４と相違しているが、他の点では前記実施例１〜４と同様に構成されている。
図１８において、実施例５の制御部Ｃでは、実施例４の制御部Ｃが有する各手段と比較して、加熱部材の制御手段Ｃ５が、圧力の変更手段Ｃ５Ｊに替えて圧力の変更手段Ｃ５Ｊ′を有する点と、遅延時期の記憶手段Ｃ５Ｌと遅延時期の判別手段Ｃ５Ｍとが追加された点とが異なる。
【００９５】
Ｃ５Ｌ：遅延時期の記憶手段
遅延時期の記憶手段Ｃ５Ｌは、ヒートロール２４の回転速度を変更して後に、圧力を変更する時期である遅延時期を記憶する。実施例５では、遅延時期として、ヒートロール２４の回転速度を変更してから圧力を変更するまでの時間である遅延時間ｔ２を記憶する。なお、実施例５の遅延時間ｔ２は、一例として、第１の回転速度の初期値、いわゆるデフォルト値としての第１の回転速度Ｖ１で、積層体３２が、１［ｍｍ］搬送される時間が設定されている。すなわち、ｔ２＝１／Ｖ１が設定されている。
Ｃ５Ｍ：遅延時期の判別手段
遅延時期の判別手段Ｃ５Ｍは、遅延時間ｔ２がセットされたタイマＴＭ１がタイムアップしたか否かを判別することで、遅延時期になったか否かを判別する。
【００９６】
Ｃ５Ｊ′：圧力の変更手段
圧力の変更手段Ｃ５Ｊ′は、ヒートロール２４の回転速度が第２の回転速度Ｖ２に変更後、且つ、積層体３２の搬送方向の後端がヒートロール２４を通過する前に、ヒートロール２４が積層体３２を加圧する圧力Ｐ１〜Ｐ３を、第１の圧力よりも弱い第２の圧力Ｐ１′〜Ｐ３′に変更する。実施例５の圧力の変更手段Ｃ５Ｊ′は、遅延時期の判別手段Ｃ５Ｍが、遅延時間ｔ２が経過して、圧力を変更する時期になったと判別した場合に、ヒートロール２４の圧力を、第１の圧力Ｐ１〜Ｐ３から第２の圧力Ｐ１′〜Ｐ３′に変更する。
【００９７】
（実施例５のフローチャートの説明）
図１９は実施例５の転写条件の制御処理のフローチャートの説明図であり、実施例４の図１７に対応する図である。
図１９において、実施例５の転写条件の制御処理では、実施例４の転写条件の制御処理のＳＴ３２に替えて、以下の処理ＳＴ４１〜ＳＴ４４を実行する点が異なるだけで、その他の処理は共通である。したがって、共通する処理に関しては詳細な説明は省略する。
【００９８】
ＳＴ４１において、ヒートロール２４の回転速度を第１の回転速度Ｖ１〜Ｖ３から第２の回転速度Ｖ１′〜Ｖ３′に変更する。そして、ＳＴ４２に進む。
ＳＴ４２において、遅延時間ｔ２をタイマＴＭ１にセットする。そして、ＳＴ４３に進む。
ＳＴ４３において、タイマＴＭ１がタイムアップしたか否かを判別する。イエス（Ｙ）の場合はＳＴ４４に進む。ノー（Ｎ）の場合はＳＴ４３を繰り返す。
ＳＴ４４において、ヒートロール２４の圧力を第１の圧力Ｐ１〜Ｐ３から第２の圧力Ｐ１′〜Ｐ３′に減圧する。そして、ＳＴ９に進む。
【００９９】
（実施例５の転写条件の制御処理の機能）
前記構成を備えた実施例５のプリンタＵでは、ヒートロール２４の減速を行う時期と減圧を行う時期がずれている点が、ヒートロール２４の減速と減圧を同時に行っていた実施例１〜４と異なる。
ヒートロール２４の減圧を減速よりも早期に行う場合、ヒートロール２４を減速する際に、既に減圧された状態となっており、ヒートロール２４と積層体３２との摩擦力が低下している。したがって、積層体３２を減速しようとしても、ヒートロール２４と積層体３２との間で滑りやすくなっている。よって、いわば、積層体３２にブレーキがかかりにくい状態となっている。したがって、積層体３２の減速が不十分になる恐れがある。
これに対して、実施例１〜５では、ヒートロール２４を減圧する時期が、減速する時期に対して、同時または後になっている。したがって、積層体３２の減速が不十分になることが抑制されている。特に、実施例５では、ヒートロール２４を減圧する時期が、減速する時期よりも後になっており、実施例１〜４に比べて、積層体３２の減速が不十分になることがさらに確実に抑制される。
【０１００】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ011）を下記に例示する。
（Ｈ01）前記実施例において、画像形成装置の一例としてプリンタＵを例示したが、これに限定されず、複写機、ＦＡＸ、あるいはこれら複数の機能を備えた複合機等に適用可能である。
（Ｈ02）前記実施例において、例示した具体的な数値等は、設計や仕様等に応じて任意に変更可能である。
【０１０１】
（Ｈ03）前記実施例において、積層体３２の搬送方向の後端がヒートロール２４を通過する際に、回転速度と圧力を変更する構成を例示したが、これに限定されない。例えば、いずれか一方のみを変更することも可能である。
（Ｈ04）前記実施例において、実施例３〜５のヒートロール２４に関する構成を、プレヒートロール２３に適用することも可能である。
【０１０２】
（Ｈ05）前記実施例５において、遅延時間ｔ２も、シート基材７の種類に応じて設定する構成とすることも可能である。
（Ｈ06）前記実施例において、プレヒートロール２４が設けることが望ましいが、省略することも可能である。
（Ｈ07）前記実施例において、加熱部材および予備加熱部材がロール状の構成を例示したが、これに限定されない。例えば、無端帯状いわゆるベルト状の構成とすることも可能である。
（Ｈ08）前記実施例において、実施例５は実施例１〜４の構成を含有しているがこれに限定されない。例えば、実施例５において、実施例２の構成を省略したり、実施例３や実施例４の構成を省略することも可能である。
【０１０３】
（Ｈ09）前記実施例において、第２の媒体の情報を読み取る際に、無線通信で情報を取得する構成とすることが望ましいが、これに限定されない。例えば、第２の媒体の側面や予め設定された部位に、識別情報の一例としてのバーコードや２次元コード等の画像を付与して読み取る構成とすることも可能である。このとき、紫外光ランプ、いわゆるブラックライトを照射した場合に、判読可能、且つ、可視領域では不可視のインク等を使用して、情報を読み取る構成とすることも可能である。また、磁気テープ等の接触式で情報を読み取る構成を採用することも可能である。
（Ｈ010）前記実施例において、エンコード部１９で積層体３２を一旦停止させて情報を読み取る構成を例示したがこれに限定されない。すなわち、積層体３２を搬送しながら情報を読み取る構成とすることも可能である。
（Ｈ011）前記実施例において、ヒートロール２４やプレヒートロール２３は、ロール対の両方にヒータ２３ａ，２４ａが配置される構成を例示したが、これに限定されない。例えば、一方のロールにのみヒータ２３ａ，２４ａを収容し、他方のロールを一方のロールに押し当てる構成とすることも可能である。すなわち、定着装置Ｆと同様の構成とすることも可能である。
【符号の説明】
【０１０４】
７…第２の媒体、
９…積載部、
１９ｂ…読取部材、
２３…第２の加熱部材、
２４…加熱部材、
３１…第１の媒体、
３２…積層体、
Ｃ４…取得手段、
Ｃ５Ｂ，Ｃ５Ｂ″…設定手段、
Ｃ６Ｃ…第２の設定手段、
Ｕ…画像形成装置、
Ｕ３…画像転写装置、
Ｕｙ〜Ｕｋ＋Ｔ１＋Ｔ２＋Ｂ…記録部。
【図１】
2014021352.tif 000003
【図２】
2014021352.tif 000004
【図３】
2014021352.tif 000005
【図４】
2014021352.tif 000006
【図５】
2014021352.tif 000007
【図６】
2014021352.tif 000008
【図７】
2014021352.tif 000009
【図８】
2014021352.tif 000010
【図９】
2014021352.tif 000011
【図１０】
2014021352.tif 000012
【図１１】
2014021352.tif 000013
【図１２】
2014021352.tif 000014
【図１３】
2014021352.tif 000015
【図１４】
2014021352.tif 000016
【図１５】
2014021352.tif 000017
【図１６】
2014021352.tif 000018
【図１７】
2014021352.tif 000019
【図１８】
2014021352.tif 000020
【図１９】
2014021352.tif 000021